(57)【要約】【課題】  振動や衝撃、或いはピッキングによる直接的なスライダーの移動によってロック解除されないケース用施錠装置を得る。【解決手段】  ケース用施錠装置１００において、合鍵Ｇの挿入される錠本体Ａと、錠本体Ａに回転自在に設けられ所定の角度回転されるごとにロック姿勢とロック解除姿勢とを繰り返すロックボルトＣと、複数のタンブラー５５ａ〜５５ｃを有して錠本体Ａに内設され合鍵の挿入のみによって移動可能となるスライダーＤと、スライダーＤに移動自在に内設され合鍵の挿入によって同方向に移動される磁石Ｅと、スライダーＤに内設され磁石Ｅの移動軌跡に直交方向で移動自在となるとともに移動方向両端が異極となり、合鍵の挿入状態では移動された磁石Ｅの同極が対面され磁気反発力によって突出配置されることでスライダーＤの移動に伴ってロックボルトＣを所定角度回転させるマグネットピンＦとを設けた。【選択図】      図１
2006045770.tif 000002
【特許請求の範囲】
【請求項１】
開閉自在な蓋体を有するケース本体に固設され合鍵の挿入される錠本体と、
該錠本体に回転自在に設けられ所定の角度回転されるごとに前記蓋体に対しロック姿勢とロック解除姿勢とを繰り返すロックボルトと、
複数のタンブラーを有して前記錠本体に内設され前記合鍵の挿入のみによって該タンブラーを従動させて前記合鍵の挿入方向へ移動可能となるスライダーと、
該スライダーに移動自在に内設され前記合鍵の挿入によって同方向に移動されるとともに移動方向両端が異極となる磁石と、
前記スライダーに内設され該磁石の移動軌跡に直交方向で移動自在となるとともに移動方向両端が異極となり、前記合鍵の非挿入状態では前記磁石の異極が対面されて吸着配置される一方、前記合鍵の挿入状態では移動された前記磁石の同極が対面され磁気反発力によって突出配置されることで前記スライダーの移動に伴って前記ロックボルトを所定角度回転させるマグネットピンと、
を具備したことを特徴とするケース用施錠装置。
【発明の詳細な説明】
【技術分野】
【０００１】
本発明は、旅行用のスーツケースや、トランクケース等のケース類に用いて好適なケース用施錠装置に関する。
【背景技術】
【０００２】
貴重品なども収納され、所有者の手から離れて単体でも取り扱われることの多い例えばスーツケースなどのケース類では施錠装置（以下、「ケース用施錠装置」とも称す。）に高い信頼性が要求される。従来、この種のケース用施錠装置１は、図１２に示すように、取っ手３を有するケース本体５と、このケース本体５に開閉自在となった蓋体７とからなるスーツケース９の、例えばケース本体５側に同一のものが左右一対設けられ、蓋体７をケース本体５に対して開閉不能及び開閉自在とするようにして施解錠を行う。
【０００３】
図１３に示すように、ケース用施錠装置１は、平面視で矩形状に形成され、スーツケース９の両側（図１２の左右側）方向に向く端部に、ラッチ１１、解除片１３が設けられるとともに、錠本体１５とラッチ１１との間には合鍵であるプレートキー１７が挿入されるキー挿入開口１９が設けられている。なお、図１３中、２１は、ケース用施錠装置１の施錠状態・解錠状態に応じ表示内容が切り換わる施解錠状態表示部である。
【０００４】
従来より、この種のケース用施錠装置１は、下記特許文献１にも開示されるように、内部に、合鍵の挿入のみによってスライド移動可能となる図示しないスライダーを有している。スライダーは、複数のタンブラーを有し、合鍵の挿入によってこれらタンブラーのシアーラインが一致し、錠本体１５との係止が外れて移動可能となる。そして、錠本体１５には図示しないロックボルトが内蔵され、ロックボルトはスライダーの移動によって、ロック姿勢・ロック解除姿勢に順次切り換わり、蓋体をケース本体に施錠・解錠するように作動する。
【０００５】
したがって、ロックボルトがロック解除姿勢のとき、プレートキー１７がキー挿入開口１９に挿入されると、スライダーの移動が可能となり、プレートキー１７の押込みによってスライダーが移動されると、ロックボルトがロック解除姿勢からロック姿勢へと切り換わり、このロックボルトを介して蓋体７がケース本体５に施錠されることとなった。
【特許文献１】特開２００１−１０７６２０号公報
【発明の開示】
【発明が解決しようとする課題】
【０００６】
上記した従来のケース用施錠装置は、複数のタンブラーを有したスライダーが、このタンブラーを錠本体に係止することで移動が規制されている。このスライダーは、複数のタンブラーや、各タンブラーごとの付勢手段（コイルバネ）を備え、所定の強度を有する金属ブロック体からなるため、比較的重量が大きくなる。また、スライダーは、タンブラーが錠本体に係止した移動不能状態であっても、スライダー自身、タンブラー、錠本体のタンブラー係止部などの製造交差により、若干の移動が可能となる。これらの状況から、スーツケースに衝撃や振動による外力が加えられると、慣性力によってスライダーが微動し、この微動したスライダーがロックボルトに接触することがあった。そして、この微動による接触が繰り返されると、ロックボルトが徐々に回転され、場合によってはロック姿勢からロック解除姿勢へ至る虞があった。また、スライダーに押込み力を直接的に作用させながら、タンブラーを操作することで、タンブラーの全てをシアーラインに配置させて、スライダーの係止を解除し、不正解錠を行う所謂ピッキングに対しても、高い防犯性を備えている必要があった。
【０００７】
本発明は上記状況に鑑みてなされたもので、振動や衝撃、或いはピッキングによる直接的なスライダーの移動によってはロックボルトのロック解除されることのないケース用施錠装置を提供し、もって、ケース用施錠装置の防犯性、信頼性の向上を図ることを目的とする。
【課題を解決するための手段】
【０００８】
次に、上記の課題を解決するための手段を、実施の形態に対応する図面を参照して説明する。
本発明の請求項１記載のケース用施錠装置１００は、開閉自在な蓋体７を有するケース本体５に固設され合鍵Ｇの挿入される錠本体Ａと、
該錠本体Ａに回転自在に設けられ所定の角度回転されるごとに前記蓋体７に対しロック姿勢とロック解除姿勢とを繰り返すロックボルトＣと、
複数のタンブラー５５ａ〜５５ｃを有して前記錠本体Ａに内設され前記合鍵Ｇの挿入のみによって該タンブラー５５ａ〜５５ｃを従動させて前記合鍵Ｇの挿入方向へ移動可能となるスライダーＤと、
該スライダーＤに移動自在に内設され前記合鍵Ｇの挿入によって同方向に移動されるとともに移動方向両端が異極となる磁石Ｅと、
前記スライダーＤに内設され該磁石Ｅの移動軌跡に直交方向で移動自在となるとともに移動方向両端が異極となり、前記合鍵Ｇの非挿入状態では前記磁石Ｅの異極が対面されて吸着配置される一方、前記合鍵Ｇの挿入状態では移動された前記磁石Ｅの同極が対面され磁気反発力によって突出配置されることで前記スライダーＤの移動に伴って前記ロックボルトＣを所定角度回転させるマグネットピンＦと、
を具備したことを特徴とする。
【０００９】
このケース用施錠装置１００では、合鍵Ｇの非挿入状態において、磁石Ｅが非移動位置に配置され、この磁石ＥとマグネットピンＦとが異極同士で対面される。したがって、マグネットピンＦは、磁石Ｅ側に吸着配置され、非突出状態となる。一方、合鍵Ｇの挿入状態では、合鍵Ｇの挿入に伴って磁石Ｅが移動され、この磁石ＥとマグネットピンＦとが同極同士で対面される。したがって、マグネットピンＦは、磁石Ｅから受ける磁気反発力によって移動され、突出状態となる。この突出配置状態でさらに合鍵Ｇが押込まれ、スライダーＤが移動されると、マグネットピンＦがロックボルトＣに当り、スライダーＤの移動に伴ってロックボルトＣが所定角度回転される。これにより、ケース用施錠装置１００は、施解錠されることとなる。つまり、合鍵Ｇが挿入され、磁石Ｅが移動されなければ、振動や衝撃等によって仮にスライダーＤが移動されても、マグネットピンＦとロックボルトＣとが干渉せず、ロックボルトＣがロック解除姿勢まで回転されることがない。また、スライダーＤに押込み力を加えながら、細棒等を挿入してタンブラー５５ａ〜５５ｃの係止を不正解除するピッキングが行われても、係止解除されたスライダーＤが空動するのみで、解錠に至ることがない。
【発明の効果】
【００１０】
本発明に係る請求項１記載のケース用施錠装置によれば、合鍵の挿入によってスライダーを移動させ、ロックボルトをロック解除姿勢へ回転させるケース用施錠装置において、合鍵挿入と同方向に移動される磁石をスライダーに内設し、合鍵挿入状態では移動された磁石の同極が対面され磁気反発力によって突出配置されることでスライダーの移動に伴ってロックボルトを所定角度回転させるマグネットピンをスライダーに内設したので、合鍵の非挿入状態では磁石の異極がマグネットピンに対面され、マグネットピンが吸着配置されてロックボルトと干渉することがない。したがって、振動や衝撃等が加えられ、仮にスライダーが移動されても、ロックボルトがロック解除姿勢まで回転されてしまう事態を防止することができる。また、スライダーに押込み力を加えながら、細棒等を挿入してタンブラーの係止を不正解除するピッキングが行われても、スライダーがロックボルトと干渉せずに空動するのみで、解錠に至ることがない。この結果、振動・衝撃による不意な解錠や、ピッキングによる不正な解錠を阻止して、ケース用施錠装置の信頼性、防犯性を向上させることができる。
【発明を実施するための最良の形態】
【００１１】
以下、本発明に係るケース用施錠装置の好適な実施の形態を図面を参照して詳細に説明する。
図１は本発明に係るケース用施錠装置の解錠状態の断面図、図２は図１に示したロックボルトの斜視図、図３はスライダー、プレートキーの斜視図、図４はケース用施錠装置の要部平断面図、図５は図１の要部拡大断面図、図６はスライダーの非移動状態を（ａ）、スライダーの復帰開始状態を（ｂ）に表したロックボルトの動作説明図である。なお、図１２、図１３に示した部材と同一の部材には同一の符号を付し、重複する説明は省略するものとする。
本実施の形態によるケース用施錠装置１００は、錠本体Ａと、ラッチＢと、ロックボルトＣと、スライダーＤと、磁石Ｅと、マグネットピンＦと、合鍵であるプレートキーＧとを主要な構成部材として有している。
【００１２】
スーツケース９は、ケース本体５に対し、蓋体７が開閉自在となる。ケース本体５にはケース用施錠装置１００の錠本体Ａが固設される。錠本体Ａは、図１の左方に位置する図示しない揺動部により解錠状態でかつラッチＢの係止が解除されることで、右端側が上方に跳ね上がる。錠本体Ａの右端には、ラッチＢが軸３１を介して回動自在に設けられ、ラッチＢは蓋体７側に設けられた図示しない係止板に一方の揺動位置で下端が係止することで、蓋体７の開放を規制する。このラッチＢは、ラッチＢと共に錠本体Ａに回動自在に設けられる操作片３３によって係止解除方向（図１の矢印ａ方向）への回動操作が可能となる。
【００１３】
錠本体ＡにはプレートキーＧの挿入空間３５が形成され、挿入空間３５はキー挿入口３７となって開口される。この挿入空間３５は、より具体的には錠本体Ａの内部に収容されたスライダーＤ内に形成される。つまり、キー挿入口３７から挿入されたプレートキーＧは、錠本体Ａ内のスライダーＤ（挿入空間３５）へ挿入されることとなる。ラッチＢの上部には開口閉鎖片３９が斜めに延設され、開口閉鎖片３９はラッチＢの係止状態においてキー挿入口３７を閉鎖する。ラッチＢは、所定厚のプレートキーＧがキー挿入口３７に挿入されることにより、開口閉鎖片３９が押圧されて係止解除方向へ回転され、蓋体７との係止が解除されるようになっている。
【００１４】
錠本体ＡにはロックボルトＣが内蔵され、ロックボルトＣは上端面の凹部４１を、錠本体Ａの突起軸４３に嵌合させて回転自在となる。ロックボルトＣの下端には図１の左右方向に長いロック杆４５が設けられ、ロック杆４５は蓋体７に形成されたスリット４７に対し、長手方向を一致させることで挿脱が可能になるとともに、スリット４７の長手方向に直交する方向に配置されることで、蓋体７からの抜脱が不能（ロック状態）となる。このロックボルトＣは、後述するように、スライダーＤの押込みにより、所定の角度（例えば９０°）ごとに回転され、ロック姿勢とロック解除姿勢とを繰り返す。
【００１５】
また、ロックボルトＣの上端の軸外周には表示円盤４９が相対回転不能に嵌合され、表示円盤４９は１８０°ごとに施錠マークが記されている。この表示円盤４９の施錠マークは、錠本体Ａの上面に穿設された表示窓５１から視認可能となる。つまり、ロックボルトＣが一方向へ９０°ごとに回転されることで、表示窓５１からは施錠マーク、非施錠マーク（無印）が繰り返し表示され、ケース用施錠装置１００の施解錠状態が視認できるようになっている。
【００１６】
ここで、ロックボルトＣをより具体的に説明する。
ロックボルトＣは、図２に示すように、上端が上記した凹部４１となる軸部７５を有し、この軸部７５には上端側より円柱部７７、四角柱部７９、フランジ部７３、ロック杆４５とが順次形成されている。フランジ部７３の上面には円周方向に９０°間隔で傾斜面８１が形成されている。傾斜面８１は平坦面８３と連続している。平坦面８３と次の傾斜面８１との間には段部８５が形成されている。また、四角柱部７９の四つの各側面には軸線方向の掛かり溝８７が形成されている。なお、図中８９は、フランジ部７３とロック杆４５とを接続する首部を示している。
【００１７】
フランジ部７３の外周には９０°間隔で窪み９１が形成されている。一方、錠本体Ａには板バネ９３が配設され（図４参照）、板バネ９３は凸部９３ａを有している。板バネ９３は、凸部９３ａがフランジ部７３の窪み９１に圧接するように配設されている。したがって、フランジ部７３が回転するごとに、板バネ９３が弾性変形し、凸部９３ａを窪み９１に進退させることで、ロックボルトＣの回転を９０°ごとに節度規制している。
【００１８】
スライダーＤは、錠本体Ａ内において、付勢手段である圧縮コイルバネ５３によって、図１の右方へ付勢されている。スライダーＤには複数（本実施の形態では３つ）のタンブラー５５ａ，５５ｂ，５５ｃがプレートキーＧの挿入方向に並べられ、タンブラー５５ａ，５５ｂ，５５ｃは挿入空間３５へ臨んでいる。図３に示すように、タンブラー５５ａ〜５５ｃは、スライダーＤの幅方向（図１の紙面直交方向）に長い板形状となり、上面には一対の三角突起５７が長手方向に離間配置されている。スライダーＤの下面には蓋材５９が固定され、この蓋材５９とそれぞれのタンブラー５５ａ〜５５ｃの間には圧縮スプリング６１，６１，６１が配設されている。タンブラー５５ａ〜５５ｃは、この圧縮スプリング６１の付勢力によって、長手方向のいずれか一端が上方、他端が下方へ位置するように傾斜姿勢、或いは両端が上方へ位置するような姿勢をとる。各タンブラー５５ａ〜５５ｃは、正規のプレートキーＧが挿入空間３５へ挿入されることにより、この傾斜配置から、圧縮スプリング６１の付勢力に抗して水平配置される。
【００１９】
プレートキーＧには、各タンブラー５５ａ〜５５ｃの三角突起５７に一致した進入孔６３が複数穿設されている。各タンブラー５５ａ〜５５ｃは、所定の進入孔６３の穿設されたプレートキーＧが挿入されることのみによって、三角突起５７が所定深度で進入孔６３に進入し、その結果、水平に配置されるようになっている。タンブラー５５ａ〜５５ｃの長手方向両端には係止突起６５，６５が突設され、この係止突起６５は錠本体Ａの内壁に形成された図示しない係止溝に係止する。このタンブラー５５ａ〜５５ｃの係止突起６５は、タンブラー５５ａ〜５５ｃがプレートキーＧによって水平配置された状態でのみ、錠本体Ａの係止溝から外れ、スライダーＤの移動を可能とする。つまり、スライダーＤは、通常状態において、係止突起６５が錠本体Ａの係止溝に係止し、スライド不能となる一方、プレートキーＧが挿入された状態においてのみ、全てのタンブラー５５ａ〜５５ｃが水平配置され、その結果、係止突起６５が係止溝から外れて（シアーラインが一致して）、プレートキーＧの挿入方向へ移動可能となる。
【００２０】
スライダーＤには移動方向に長い貫通孔６７が穿設され、この貫通孔６７には上記のロックボルトＣの円柱部７７が貫通される。この貫通孔６７は、スライダーＤの下部側で異なる形状となっている。すなわち、図６に示すように、貫通孔６７は、スライダーＤの下部側で、傾斜壁９４を有する略台形状の貫通孔９５となっている。この貫通孔９５にはロックボルトＣの四角柱部７９が挿通配置される。
【００２１】
図５に示すように、スライダーＤには磁石収容空間９７が形成され、磁石収容空間９７には磁石Ｅが進退自在に収容されている。磁石収容空間９７には圧縮バネ９９が配設され、圧縮バネ９９は磁石Ｅを、プレートキーＧの挿入方向に反する方向（図５の左方）に付勢している。スライダーＤには隔壁１０１が形成され、隔壁１０１は圧縮バネ９９による磁石Ｅの飛出しを規制している。磁石Ｅの圧縮バネ９９と反対側の端面には突出杆１０３が突設され、突出杆１０３は挿入空間３５へ突出されている。
【００２２】
磁石Ｅは、挿入空間３５にプレートキーＧが挿入されると、突出杆１０３がプレートキーＧの先端によって押圧され、圧縮バネ９９の付勢力に抗して磁石収容空間９７内へと後退移動される。つまり、プレートキーＧの挿入によって同方向に移動される。この磁石Ｅは、当該移動方向両端が異極（Ｓ極とＮ極）となっている。本実施の形態では、圧縮バネ９９側がＮ極となり、突出杆１０３側がＳ極となっている。
【００２３】
スライダーＤにはさらに磁石収容空間９７の下方にピン収容空間１０５が形成され、ピン収容空間１０５はマグネットピンＦを収容している。マグネットピンＦは、ピン収容空間１０５に挿入されることで、磁石Ｅの移動軌跡に直交方向で移動自在となる。すなわち、図５の上下方向へ移動自在となる。そして、このマグネットピンＦも、移動方向両端が異極（Ｓ極とＮ極）となっている。本実施の形態では、磁石Ｅに対面する側がＳ極となり、フランジ部７３に対面する側がＮ極となっている。
【００２４】
磁石Ｅは、プレートキーＧの非挿入状態では、圧縮バネ９９の付勢力によって隔壁１０１に当接する位置に配置される（図５の状態）。この状態で、磁石ＥとマグネットピンＦとは異極が対面され、この結果、移動自在なマグネットピンＦが磁石Ｅに吸着されて上側へ配置されている。
【００２５】
次に、このように構成されたケース用施錠装置１００の作用を説明する。
図７はスライダーの移動に伴うロックボルトの回転状態を（ａ）〜（ｄ）で表した動作説明図、図８はプレートキー挿入状態の動作説明図、図９はプレートキー押込み始めの動作説明図、図１０はプレートキーの押込み終了状態の動作説明図、図１１はプレートキーが抜脱された状態の動作説明図である。
図１に示したロックボルトＣの解錠状態において、ロックボルトＣのロック杆４５は、蓋体７のスリット４７と長手方向が同方向に配置されている。したがって、操作片３３が操作され、ラッチＢが矢印ａ方向に回転されることで、ラッチＢと図示しない係止板との係止が解除される。この状態で、錠本体Ａの右端が上方へ跳ね上げられることで、蓋体７がケース本体５から開放可能となる。
【００２６】
一方、プレートキーＧがキー挿入口３７から挿入されると、ラッチＢの開口閉鎖片３９が押圧され、キー挿入口３７が開口されるとともに、ラッチＢが矢印ａ方向へ回転される。プレートキーＧがキー挿入口３７に挿入されると、スライダーＤの上面に位置した各タンブラー５５ａ〜５５ｃの三角突起５７がプレートキーＧのそれぞれの所定の進入孔６３（図２参照）に進入する。
【００２７】
各タンブラー５５ａ，５５ｂ，５５ｃは、三角突起５７が所定の進入孔６３に進入することで、かつ、各三角突起５７の突出形状と進入孔６３の内径との組合せにより、水平に配置され、全てのタンブラー５５ａ〜５５ｃが水平配置されると、タンブラー５５ａ〜５５ｃの両側の係止突起６５（図３参照）が、錠本体Ａの図示しない係止溝から外れ、すなわち、シアーラインが一致し、スライダーＤが移動可能となる。
【００２８】
このとき、同時に、挿入空間３５に突出された突出杆１０３は、図８に示すように、プレートキーＧの先端によって押圧される。これにより、磁石Ｅは、圧縮バネ９９の付勢力に抗して磁石収容空間９７内へ移動される。磁石Ｅが移動されると、磁石ＥのＳ極がマグネットピンＦの上方へ配置され、マグネットピンＦのＳ極とによって磁気反発力が発生し、マグネットピンＦがスライダーＤの下方から垂下した状態に突出される。
【００２９】
この状態で、さらにプレートキーＧが押込まれると、スライダーＤが図９の左方へ移動される。スライダーＤが移動されると、フランジ部７３の段部８５がマグネットピンＦに押圧され、図７（ａ），図９に示すように、ロックボルトＣが回転される。この図７（ａ），図９ではロックボルトＣが約４５°回転している。図１０に示すように、プレートキーＧが最終押込み位置まで押込まれることにより、図７（ｂ）に示すように、ロックボルトＣがさらに回転される。
【００３０】
プレートキーＧが最終押込み位置まで押込まれた後、その押込み力を緩めると、プレートキーＧは、スライダーＤとともに、圧縮コイルバネ５３の付勢力によって、プレートキーＧの抜脱方向と同方向へと移動される。この移動に伴って、図７（ｃ）に示すように、貫通孔９５の傾斜壁９４がロックボルトＣの四角柱部７９に掛かり、ロックボルトＣをさらに図７（ｃ）の時計回りに回転させる。これにより、図７（ｄ），図１１に示すように、ロックボルトＣが９０°回転される。ロックボルトＣは、図１に示したロック解除姿勢から９０°回転されることにより、ロック杆４５がスリット４７の長手方向に直交する方向に配置され、蓋体７は、ロック杆４５を介してケース本体５に施錠状態となる。
【００３１】
プレートキーＧを完全に抜脱すると、図１１に示すように、磁石Ｅが圧縮バネ９９の付勢力によって移動され、再び磁石ＥとマグネットピンＦとが同極同士で吸着され、マグネットピンＦがスライダーＤ内に引っ込められることになる。つまり、プレートキーＧが挿入され、磁石Ｅが移動されなければ、振動や衝撃等によって仮にスライダーＤが移動されても、マグネットピンＦとロックボルトＣとが干渉せず、ロックボルトＣがロック解除姿勢まで回転されることがない。
【００３２】
上記のケース用施錠装置１００によれば、プレートキーＧの挿入によってスライダーＤを移動させ、ロックボルトＣをロック解除姿勢へ回転させるケース用施錠装置１００において、プレートキーＧの挿入と同方向に移動される磁石ＥをスライダーＤに内設し、プレートキーＧの挿入状態では移動された磁石Ｅの同極が対面され磁気反発力によって突出配置されることでスライダーＤの移動に伴ってロックボルトＣを所定角度回転させるマグネットピンＦをスライダーＤに内設したので、プレートキーＧの非挿入状態では磁石Ｅの異極がマグネットピンＦに対面され、マグネットピンＦが吸着配置されてロックボルトＣと干渉することがない。したがって、振動や衝撃等が加えられ、仮にスライダーＤが移動されても、ロックボルトＣがロック解除姿勢まで回転されてしまう事態を防止することができる。また、スライダーＤに押込み力を加えながら、細棒等を挿入してタンブラー５５ａ〜５５ｃの係止を不正解除するピッキングが行われても、スライダーＤがロックボルトＣと干渉せずに空動するのみで、解錠に至ることがない。この結果、振動・衝撃による不意な解錠や、ピッキングによる不正な解錠を阻止して、ケース用施錠装置１００の信頼性、防犯性を向上させることができる。
【図面の簡単な説明】
【００３３】
【図１】本発明に係るケース用施錠装置の解錠状態の断面図である。
【図２】図１に示したロックボルトの斜視図である。
【図３】スライダー、プレートキーの斜視図である。
【図４】ケース用施錠装置の要部平断面図である。
【図５】図１の要部拡大断面図である。
【図６】スライダーの非移動状態を（ａ）、スライダーの復帰開始状態を（ｂ）に表したロックボルトの動作説明図である。
【図７】スライダーの移動に伴うロックボルトの回転状態を（ａ）〜（ｄ）で表した動作説明図である。
【図８】プレートキー挿入状態の動作説明図である。
【図９】プレートキー押込み始めの動作説明図である。
【図１０】プレートキーの押込み終了状態の動作説明図である。
【図１１】プレートキーが抜脱された状態の動作説明図である。
【図１２】ケース用施錠装置の設けられたスーツケースの上面図である。
【図１３】図１２のスーツケースに設けられたケース用施錠装置とそのプレートキーの平面図である。
【符号の説明】
【００３４】
７…蓋体
５…ケース本体
５５ａ〜５５ｃ…タンブラー
１００…ケース用施錠装置
Ａ…錠本体
Ｃ…ロックボルト
Ｄ…スライダー
Ｅ…磁石
Ｆ…マグネットピン
Ｇ…合鍵（プレートキー）
【図１】
2006045770.tif 000003
【図２】
2006045770.tif 000004
【図３】
2006045770.tif 000005
【図４】
2006045770.tif 000006
【図５】
2006045770.tif 000007
【図６】
2006045770.tif 000008
【図７】
2006045770.tif 000009
【図８】
2006045770.tif 000010
【図９】
2006045770.tif 000011
【図１０】
2006045770.tif 000012
【図１１】
2006045770.tif 000013
【図１２】
2006045770.tif 000014
【図１３】
2006045770.tif 000015